(57)【要約】【課題】  サーバに保持した情報がタグやカード等に正常に書き込まれたか否かを示すことのできる非接触通信媒体の書き込みシステムを実現する。  【解決手段】  スタック制御部２２は情報保持部２１の情報をRFIDライタ３に転送し記憶部３１に記憶させる。スタック制御部３２は書込命令を送り、記憶部３１を読出して書き込み処理部３３に転送する。書き込み処理部３３はその情報をアンテナ部３４からタグ１に書き込み、終了条件に合うまで続けられる。スタック制御部３２は書き込み正常終了の場合はその通知をスタック制御部２２に送り、スタック制御部２２は、情報保持部２１の対応する情報を消去する。書き込みが正常に行われなかった場合は、その通知を送ると共に記憶部３１の情報を消去し、情報保持部２１の対応する情報はそのまま保持される。【選択図】        図１
2006059247.tif 000002
【特許請求の範囲】
【請求項１】
非接触通信媒体と通信する通信手段と、
情報保持装置からネットワークを介して転送されてくる情報を記憶する記憶手段と、
該憶手段に記憶された前記情報を読み出すと共に書き込み命令を出し、さらに書き込みが正常に行われた場合にその情報を消去させるための通知を前記情報保持装置に送る制御手段と、
前記書き込み命令に基づいて前記記憶手段から読み出された情報を前記通信手段を介して前記非接触通信媒体に書き込む処理を行う書き込み処理手段とを備えたことを特徴とする非接触通信媒体の書き込み装置。
【請求項２】
前記制御手段は、前記書き込み処理手段による前記非接触通信媒体への前記情報の書き込みが正常に行われたことを示す通知、又は正常に行われなかったことを示す通知を前記情報保持装置に送り、前記情報保持装置は、前記正常に行われたことを示す通知に基づいて前記保持する情報から対応する情報を消去し、前記正常に行われなかったことを示す通知に基づいて対応する情報を保持し続けることを特徴とする請求項１記載の非接触通信媒体の書き込み装置。
【請求項３】
前記非接触通信媒体は、非接触ICモジュールを内蔵したタグ又はカードであることを特徴とする請求項１又は２記載の非接触通信媒体の書き込み装置。
【請求項４】
非接触通信媒体に書き込むべき情報を保持する情報保持装置と、
該情報保持装置とネットワークを介して接続される請求項１ないし３のいずれかに記載の非接触通信媒体の書き込み装置とからなることを特徴とする非接触通信媒体の書き込みシステム。
【発明の詳細な説明】
【技術分野】
【０００１】
本発明は、非接触ICモジュールを内蔵したICタグ、ICカード、RFIDタグ等の非接触通信媒体にサーバが保持する情報を書き込み装置を介して書き込む非接触通信媒体の書き込み装置およびシステムに関するものである。
【背景技術】
【０００２】
ICチップとアンテナコイルからなる非接触ICモジュールを内蔵するICカードやICタグ、RFID（Radio Frequency Identification）タグは、例えば鉄道の乗車券・定期券機能や電子マネー機能、プリペイド機能、身分証明書機能等を備えたり、あるいは人や商品等の動体に関する情報が記録され、それらの動体の動向を管理するシステム等において広く利用されつつある（例えば、特許文献１参照）。このようなICカード、ICタグ、RFIDタグ等を用いるシステムとして、カードやタグに上記各機能を与えるための情報をサーバが保持し、この情報を書き込み装置が読み出してカードやタグに書き込むようにしたものがある。
【特許文献１】特開２００２−３１３８４４号公報
【発明の開示】
【発明が解決しようとする課題】
【０００３】
上記のように書き込み装置がサーバから読み出した情報をカードやタグに書き込むシステムにおいては、情報の書き込みが正常に行われたか否かをサーバ側で確認することができなかった。そこでネットワーク越しに常にポーリングを行う方法が考えられるが、この方法は負荷が非常に高くなるものであった。このため、書き込み装置に記憶装置を設けて、サーバから読み出した情報を全てこの記憶装置に一時保存することが考えられるが、そのとき情報の正常書き込みの痕跡を確実に残すことが必要になってくる。
従って、本発明は上記の問題を解決し、サーバに保持した情報がタグやカード等の非接触通信媒体に正常に書き込まれたか否かを示すことのできる非接触通信媒体の書き込みシステムを提供することを課題とする。
【課題を解決するための手段】
【０００４】
本発明による非接触通信媒体の書き込み装置は、非接触通信媒体と通信する通信手段と、情報保持装置からネットワークを介して転送されてくる情報を記憶する記憶手段と、該憶手段に記憶された前記情報を読み出すと共に書き込み命令を出し、さらに書き込みが正常に行われた場合にその情報を消去させるための通知を前記情報保持装置に送る制御手段と、前記書き込み命令に基づいて前記記憶手段から読み出された情報を前記通信手段を介して前記非接触通信媒体に書き込む処理を行う書き込み処理手段とを備えたことを特徴とするものである。
また本発明は、前記書き込み処理手段による前記非接触通信媒体への前記情報の書き込みが正常に行われたことを示す通知、又は正常に行われなかったことを示す通知を前記情報保持装置に送り、前記情報保持装置は、前記正常に行われたことを示す通知に基づいて前記保持する情報から対応する情報を消去し、前記正常に行われなかったことを示す通知に基づいて対応する情報を保持し続けることを特徴とする。
また本発明は、前記非接触通信媒体は、非接触ICモジュールを内蔵したタグ又はカードであることを特徴とする。
また本発明は、前記書き込み装置と前記情報保持装置とによって非接触通信媒体への情報書き込みシステムを構成したものである。
【発明の効果】
【０００５】
本発明によれば、情報保持装置において、情報書き込み装置から送られてくる書き込みが正常に行われた場合の通知に応じて保持した情報のうち対応する情報を消去することより、情報保持装置にはまだ書き込まれていない情報のみを保持することができる。
【発明を実施するための最良の形態】
【０００６】
以下、本発明の実施の形態を図面と共に説明する。
図１は本発明の実施の形態によるを非接触通信媒体の書き込みシステム示すブロック図である。
図１において、１は非接触ICモジュールを内蔵したICカード、ICタグ、RFIDタグ等の非接触通信媒体であり、ここではRFIDタグ(以下単にタグ１と言う)として説明する。このタグ１に情報が書き込まれる。２は情報保持装置としての情報スタックサーバで、タグ１に書き込む情報を保持する情報保持部２１、保持した情報の転送を制御するスタック制御部２２を備える。
【０００７】
３は情報スタックサーバ２が保持する情報がネットワーク４を介して転送され、その情報をタグ１に書き込むための情報書き込み装置としてのRFIDライタで、転送された情報を記憶する記憶部３１を有し書き込み命令を出すスタック制御部３２、書き込み命令に応じて記憶部３１の情報のタグ１への書き込み処理を実行する書き込み処理部３３、タグ１と通信するアンテナ部３４を備える。
【０００８】
次に、上記構成による動作について図１の（１）〜（６−２）を参照して説明する。
（１）まず、情報スタックサーバ２のスタック制御部２２は、RFIDライタ３のスタック制御部３２と通信して情報保持部２１に保持された情報(書き込みデータ)をRFIDライタ３にネットワーク４を介して送信する。スタック制御部２２は受信した情報を記憶部３１に記憶する。
（２）スタック制御部３２は書き込み処理部３３に対して書き込み命令を送り、記憶部３１の情報を読み出して書き込み処理部３３に転送する。
（３）書き込み処理部３３は書き込み命令に基づいて、受信した情報をアンテナ部３４を介してタグ１に書き込む処理を行う。
（４）この書き込み処理は、所定の書き込み終了条件に合致するまで続けられる。
【０００９】
（５−１）スタック制御部３２は、書き込みが正常に終了した場合は、その情報についてコミットの通知をスタック制御部２２に送る。
（６−１）これを受けてスタック制御部２２は、他のRFIDライタ３に対して情報を伝えると共に、情報保持部２１の対応する情報を消去する。
（５−２）スタック制御部３２は、上記所定の終了条件に合致したが書き込みが正常に行われなかった場合は、ロールバックの通知をスタック制御部２２に送る。また、記憶部３１の対応する情報を消去する。
（６−２）上記ロールバックの通知を受けてスタック制御部２２は情報保持部２１の対応する情報をそのまま保持する。
【００１０】
以上によれば、情報スタックサーバ２の情報保持部２１に保持された情報のうち、タグ１への書き込みが正常に終了したものは順次消去されていき、書き込みを失敗したり、まだ書き込みが行われていない情報のみが保持される。また、情報スタックサーバ２からRFIDライタ３への情報の転送漏れや書き込み漏れ等をなくすことができる。
【００１１】
尚、RFIDライタ３は、本実施の形態ではタグ１への書き込み専用の装置であったが、タグ１に記録された情報を読み取って情報スタックサーバ２に転送する読み取り機能を備えていてもよい。
【図面の簡単な説明】
【００１２】
【図１】本発明の実施の形態による非接触通信媒体の書き込みシステムを示すブロック図である。
【符号の説明】
【００１３】
１：タグ                    ２：情報スタックサーバ
３：RFIDライタ              ４：ネットワーク
２１：情報保持部            ２２：スタック制御部
３１：記憶部                ３２：スタック制御部、
３３：書き込み処理部        ３４：アンテナ部
【図１】
2006059247.tif 000003